(57)【要約】【課題】  リング精紡機の出口ローラで、フリーストライアングルという三角形状の繊維の収束領域が形成され、このフリーストライアングルの端にある繊維は撚り込み運動に遅れ、中途半端な状態で撚り込まれることにより、毛羽となって浮遊繊維となり、風綿となって飛散してしまう点である。【解決手段】  アーバーの両側に設けた回転部のほぼ中央にゴムコットを固着し、ゴムコットの両側に送風カラーを装着し、送風カラーに対向して送風部材をゴムコットと独立して回転しないように固着し、送風部材に空気流入チューブから空気を流入し、送風部材に設けた送風孔から送風カラーに空気を吹き付け、吹き付けられた空気を送風カラーからゴムコットとボトムローラの間に吹き付けて毛羽が撚り込まれることにより、毛羽の飛散を防止するものである。【選択図】        図１
2005194646.tif 000002
【特許請求の範囲】
【請求項１】
把持部の両端に回転セルを形成したアーバーと、該回転セルのほぼ中央部に固定されたボトムローラと接触するゴムコットと、該ゴムコットの両側に装着され、複数の放射溝を片面に形成した送風カラーと、該送風カラーに微小間隙を開けて回転しないように固定され、前記ボトムローラの近傍の送風カラーに空気を吹き付ける送風孔を形成し、内部に空気流通部を設け、空気流入チューブを装着した送風部材とからなり、該送風部材の送風孔から前記送風カラーに空気を吹き付け、前記ゴムコットの両側の前記送風カラーから吹き出した空気によって、前記ゴムコットで作られる粗糸のフリーストライアングルを纏めることを特徴とする毛羽防止トップローラ。
【請求項２】
前記送風カラーは前記ボトムローラ近傍に複数の流通孔が設けられていることを特徴とする請求項１記載の毛羽防止トップローラ。
【請求項３】
前記送風カラーを省き、前記送風部材の送風孔から直接ゴムコットとボトムローラの間に空気を吹き付けることを特徴とする請求項１記載の毛羽防止トップローラ。
【請求項４】
前記送風部材及び前記送風カラーの代わりに前記ゴムコットの両側近傍に送風チューブを装着することを特徴とする請求項１記載の毛羽防止トップローラ。
【発明の詳細な説明】
【技術分野】
【０００１】
本発明は、ドラフト、撚り掛け、巻取りの３要素からなるリング精紡機において、ドラフトから撚り掛けへの移行領域に繊維の平行度、集積度を向上させるため、エア吹き出し式の集積機構を設け、浮遊する繊維を減少させ、毛羽の少ない糸を生成する毛羽防止トップローラに関するものである。
【背景技術】
【０００２】
この種のリング精紡機としては、図５に示すように、スタンド１にバックボトムローラ２とバックトップローラ３、ミドルボトムローラ４とミドルトップローラ５、フロントボトムローラ６とフロントトップローラ７がそれぞれ対になって装着されたドラフト装置８が構成され、又、粗糸ボビン９から引き出された粗糸１０はバックボトムローラ２とバックトップローラ３の間、ミドルボトムローラ４とミドルトップローラ５の間、フロントボトムローラ６とフロントトップローラ７の間に順次送られて紡出糸１０として引き出され、ガイド１１からリング１２に沿って回転するトラベラー１３によって巻取りボビン１４に紡出糸１０が一方向の撚りをかけて巻取られ、この巻取りボビン１４はスピンドルレール１５に取り付けたスピンドル１６で回転されている。
【０００３】
このように構成された従来のリング精紡機では、図６に示すように、粗糸ボビン９から引き出された粗糸１０は３対のローラ２〜７で順次引き伸ばされるが、フロントボトムローラ６とフロントトップローラ７からなる出口ローラでは、幅が４ｍｍ程度の繊維束１０が一気に直径０．２ｍｍ程度の粗糸１０に急激に撚り込むため、フロントボトムローラ６とフロントトップローラ７からなる出口ローラ部分では、フリーストライアングル１０ｂと称される三角形状の繊維の収束領域が形成され、フリーストライアングル１０ｂの端にある繊維１０ａは撚り込み運動に遅れ、中途半端な状態で撚り込まれることになり、毛羽となってしまい、撚り込まれなかった繊維は浮遊繊維となり、風綿となって飛散してしまうという問題があった。
【特許文献１】実用新案登録第２５１２６４３号
【発明の開示】
【発明が解決しようとする課題】
【０００４】
解決しようとする問題点は、リング精紡機の出口ローラで、フリーストライアングルという三角形状の繊維の収束領域が形成され、このフリーストライアングルの端にある繊維は撚り込み運動に遅れ、中途半端な状態で撚り込まれることにより、毛羽となって浮遊繊維となり、風綿となって飛散してしまう点である。
【課題を解決するための手段】
【０００５】
本発明は、アーバーの両側に設けた回転部のほぼ中央にゴムコットを固着し、ゴムコットの両側に送風カラーを装着し、送風カラーに対向して送風部材をゴムコットと独立して回転しないように固着し、送風部材に空気流入チューブから空気を流入し、送風部材に設けた送風孔から送風カラーに空気を吹き付け、吹き付けられた空気を送風カラーからゴムコットとボトムローラの間に吹き付けて毛羽の飛散を防止するものである。
【発明の効果】
【０００６】
本発明では、送風部材の送風孔から送風カラーを介してゴムコットとボトムローラの間に空気を吹き付けることにより、リング精紡機の出口ローラで、フリーストライアングルという三角形状の繊維の収束領域が形成され、このフリーストライアングルの端にある繊維は撚り込み運動に遅れた繊維を確実に繊維束に送り付け、中途半端な状態で撚り込まれること防ぎ、毛羽を減らすことができ、従って、浮遊繊維も減らすことができ、風綿となって飛散するのを防止することができる。
【発明を実施するための最良の形態】
【０００７】
送風部材の送風孔からゴムコットとボトムローラの間に噴出する空気の流れを作ることにより、毛羽を減らすことである。
【実施例１】
【０００８】
図１は本発明の実施例の毛羽防止トップローラ及びボトムローラの正面図、図２は送風部材の側面図、図３は送風カラーの側面図で、トップローラ１９はアーバー１９ａの両側（片側だけ図示）に、内蔵したベアリングで回転可能に構成した回転セル１９ｂが装着され、この回転セル１９ｂのほぼ中央にゴムコット２０が回転セル１９ｂと一体となって回転するように固着され、ゴムコット２０の両側にそれぞれ送風カラー２１がそれぞれゴムコット２０と一体となって固着され、送風カラー２１の両側にそれぞれ微小間隔を開けて送風部材２２が回転セル１９ｂと接触しないように微小間隙を開けて固定され、送風部材２２は内部を空気が通る空気流入路が形成され、この空気流入路に空気流入チューブ２３が接続され、又、送風部材２２の外側にストップリング２４が装着され、ゴムコット２０はボトムローラ２５と接触して回転するように構成され、さらに、図２に示すように、送風部材２２はボトムローラ２５の近傍のそれぞれ送風カラー２１に対向する部分に送風孔２２ａが形成され、この送風孔２２ａは空気流入路に連通され、さらに、図３に示すように、送風カラー２１は片面に放射状に複数の溝２１ａが形成されている。
【０００９】
このように構成された本実施例の毛羽防止トップローラでは、図４に示すように、回転セル１９ａのゴムコット２０がボトムローラ２５と接触して回転し、ゴムコット２０とボトムローラ２４の間から粗糸２６が引き出されている間に、送風部材２２の空気流入チューブ２３から空気を流入すると、送風部材２２のボトムローラ２４の近傍に形成されている送風孔２２ａから空気２２ａが送風カラー２１の放射状の複数の溝２１ａに向けてそれぞれ噴出されるので、この空気２２ａは放射状の複数の溝２１ａからゴムコット２０とボトムローラ２５の接触部分の両側から噴出されるので、ゴムコット２０とボトムローラ２５の間で引き延ばされて出される粗糸２６の両側から離れた粗糸２６ａが纏まるように噴出され、従って、粗糸２６で形成されるフリーストライアングル２６ｂの端にある撚り込み運動に遅れた繊維２６ａを確実に繊維束２６に送り付け、中途半端な状態で撚り込まれること防ぎ、毛羽を減らすことができ、従って、浮遊繊維も減らすことができ、風綿となって飛散するのを防止することができる。
【００１０】
本実施例では、このように、ゴムコット２０とボトムローラ２４の間に引き出されている粗糸２６のフリーストライアングルに送風部材２２の送風孔２２ａから送風カラー２１の放射状溝を介して空気を吹き付けることにより、吹き付けられた空気は確実に粗糸２５のフリーストライアングル２６ｂに吹き付けられるので、毛羽を減らすことができ、浮遊繊維も減らすことができ、それらの浮遊繊維が風綿となって飛散することを防止することができる。
【産業上の利用可能性】
【００１１】
上記実施例では、送風部材２２の送風孔２２ａから送風カラー２１の放射状の複数の溝２１ａに空気を吹き付けるようにしたが、送風カラー２１の放射状の複数の溝２１ａの代わりに、送風カラー２１の周縁近傍に複数の送風孔を設けてもよいし、さらに、送風カラー２１を省いて直接送風部材２２の送風孔２２ａからゴムコット２０とボトムローラ２５の間に引き出されている粗糸２６のフリーストライアングル２６ｂに吹き付けるようにしてもよいし、又、送風部材２２の代わりに、送風部材２２の送風孔２２ａと同じ位置に送風チューブを設けてもよい。
【図面の簡単な説明】
【００１２】
【図１】図１は本発明の実施例のトップローラとボトムローラの一部切断正面図である。
【図２】図２は図１の送風部材の側面図である。
【図３】図３は図１の送風カラーの側面図である。
【図４】図４は本発明の動作を説明するための図である。
【図５】図５は従来のドラフト装置の概略構成図である。
【図６】図６は従来の欠点を説明するための概略構成図である。
【符号の説明】
【００１３】
１９                    アーバー
２０                    ゴムコット
２１                    送風カラー
２２                    送風部材
２３                    空気流入チューブ
２４                    ボトムローラ
２５                    粗糸
【図１】
2005194646.tif 000003
【図２】
2005194646.tif 000004
【図３】
2005194646.tif 000005
【図４】
2005194646.tif 000006
【図５】
2005194646.tif 000007
【図６】
2005194646.tif 000008